(57)【要約】【課題】高い光学性能を保ちつつ観察倍率を大きくしながらも、アイポイントを長く確保することのできるファインダー光学系を提供する。【解決手段】撮影レンズで所定面に形成した物体像を観察するファインダー光学系で、所定面の側から順に、反転光学系と、負の屈折力の第１レンズと、正の屈折力の第２レンズと、正の屈折力の第３レンズと、負の屈折力の第４レンズと、により構成され、第３レンズは少なくとも２枚以上のレンズが接合されたレンズであり、第３レンズの物体面側から２番目のレンズの焦点距離をｆ３２、第３レンズの焦点距離をｆ３、接合された第３レンズの最も第２レンズの側のレンズの材質のアッベ数をνｄ３１、第３レンズの第２レンズの側から２番目のレンズの材質のアッベ数をνｄ３２とするとき、       −０．６０ ＜ｆ３／ｆ３２＜０．４０      ２０ ＜νｄ３１−νｄ３２＜４０ なる条件式を満足する。【選択図】図１
2019078959.tif 000002
【特許請求の範囲】
【請求項１】
撮影レンズにより所定面に形成した物体像を観察するファインダー光学系において、
前記所定面の側から順に、
反転光学系と、
負の屈折力の第１レンズと、
正の屈折力の第２レンズと、
正の屈折力の第３レンズと、
負の屈折力の第４レンズと、により構成され、
前記第３レンズは少なくとも２枚以上のレンズが接合されたレンズであり、
前記第３レンズの物体面側から２番目のレンズの焦点距離をｆ３２、前記第３レンズの焦点距離をｆ３、接合された前記第３レンズの最も前記第２レンズの側のレンズの材質のアッベ数をνｄ３１、前記第３レンズの前記第２レンズの側から２番目のレンズの材質のアッベ数をνｄ３２とするとき、
−０．６０ ＜ｆ３／ｆ３２＜０．４０
２０ ＜νｄ３１−νｄ３２＜４０ 
なる条件式を満足することを特徴とするファインダー光学系。
【請求項２】
前記第３レンズを構成する物体面側から２番目のレンズの材質のガラス転移温度をＴｇ３２、前記第３レンズを構成する最も物体面側のレンズの材質のガラス転移温度をＴｇ３1とするとき、
５＜Ｔｇ３２−Ｔｇ３１
なる条件式を満足することを特徴とする請求項１に記載のファインダー光学系。
【請求項３】
前記第１レンズの焦点距離をｆ１、接眼レンズ全系の焦点距離をｆ、前記第４レンズの焦点距離をｆ４とするとき、
−１.５＜ｆ１／ｆ＜−１  
−０．６５＜ｆ４／ｆ＜−０．４５
なる条件式を満足することを特徴とする請求項１または２に記載のファインダー光学系。
【発明の詳細な説明】
【技術分野】
【０００１】
本発明は、ファインダー光学系に関し、特に一眼レフカメラ等に好適なファインダー光学系に関するものである。
【背景技術】
【０００２】
一眼レフカメラ用のファインダー光学系では、ペンタプリズムの大きさに依存する焦点板から接眼レンズまでの光路長によって、ファインダーの観察倍率や接眼レンズから観察者の瞳孔までの距離（以後、アイポイントと記す。）等のファインダーの仕様が決定されている。
【０００３】
このような一眼レフカメラのファインダー光学系（以下「ファインダー」ともいう）において、ファインダーの観察倍率を大きくしようとしたものや、アイポイントを十分に長くしようとしたものが従来より各種提案されている。
【０００４】
特許文献１、２では、所定面側から順に負の屈折力の第１群、正の屈折力の第２群、正又は負の屈折力の第３群の３つのレンズ群を有し、前記第３レンズ群を正レンズ１枚と負レンズ１枚とする構成が開示されている。
【先行技術文献】
【特許文献】
【０００５】
【特許文献１】特開平９−３２９７５２号公報
【特許文献２】特開２００９−２７１３８５号公報
【発明の概要】
【発明が解決しようとする課題】
【０００６】
しかしながら、上述の特許文献１に開示された従来技術では、接眼レンズの焦点距離が６５ｍｍ前後であり、焦点距離が５０ｍｍの標準レンズを撮影レンズとして装着した時のファインダー倍率としては０．８倍以下程度となる。そのため、イメージサークルの大きさが３５ｍｍフイルムよりも小さい所謂ＡＰＳ−Ｃサイズのセンサーを用いたカメラにおいては、ファインダー像が従来の銀塩カメラよりも小さくなってしまう。
【０００７】
また、特許文献２に開示された従来技術では、ファインダー倍率が１倍程度と高倍率ではあるが、軸上色収差及び倍率色収差を十分に補正することが困難である。
【０００８】
そこで、本発明の目的は、高い光学性能を保ちつつ観察倍率を大きくしながらも、アイポイントを長く確保することのできるファインダー光学系を提供することにある。
【課題を解決するための手段】
【０００９】
上記目的を達成するために、本発明に係るファインダー光学系は、撮影レンズにより所定面に形成した物体像を観察するファインダー光学系において、前記所定面の側から順に、反転光学系と、負の屈折力の第１レンズと、正の屈折力の第２レンズと、正の屈折力の第３レンズと、負の屈折力の第４レンズと、により構成され、前記第３レンズは少なくとも２枚以上のレンズが接合されたレンズであり、前記第３レンズの物体面側から２番目のレンズの焦点距離をｆ３２、前記第３レンズの焦点距離をｆ３、接合された前記第３レンズの最も前記第２レンズの側のレンズの材質のアッベ数をνｄ３１、前記第３レンズの前記第２レンズの側から２番目のレンズの材質のアッベ数をνｄ３２とするとき、
−０．６０ ＜ｆ３／ｆ３２＜０．４０
２０ ＜νｄ３１−νｄ３２＜４０ 
なる条件式を満足することを特徴とする。
【発明の効果】
【００１０】
本発明によれば、高い光学性能を保ちつつ観察倍率を大きくしながらも、アイポイントを長く確保することのできるファインダー光学系を提供することができる。
【図面の簡単な説明】
【００１１】
【図１】本発明の実施形態に係るファインダー光学系を一眼レフカメラに適用したときの要部断面図
【図２】第１の実施形態の光学要素の光路を展開した断面図
【図３】第１の実施形態の収差図
【図４】第２の実施形態の光学要素の光路を展開した断面図
【図５】第２の実施形態の収差図
【図６】第３の実施形態の光学要素の光路を展開した断面図
【図７】第３の実施形態の収差図
【図８】第４の実施形態光学要素の光路を展開した断面図
【図９】第４の実施形態の収差図
【図１０】第５の実施形態の光学要素の光路を展開した断面図
【図１１】第５の実施形態の収差図
【図１２】第６の実施形態の光学要素の光路を展開した断面図
【図１３】第６の実施形態の収差図
【発明を実施するための形態】
【００１２】
以下に、本発明の実施の形態を添付の図面に基づいて説明する。
【００１３】
（第１の実施形態）
（ファインダー光学系）
図１は、本発明の実施形態に係るファインダー光学系を一眼レフカメラに適用したときの要部断面図である。図２、図３は、本実施形態の光学要素の光路を展開した断面図と収差図である。断面図と収差図においては、ファインダー視度が−１ディオプトリー（標準視度）のときを示している。収差図において、球面収差はアイポイント位置での瞳径φ１２ｍｍでの収差図を表している。非点収差、歪曲収差、色収差は、焦点板上での最大像高を１３ｍｍとしている。色収差はｆ線（波長４８６.１３ｎｍ）での色収差を表している。
【００１４】
本発明の実施形態に係るファインダー光学系として、接眼レンズを図１を用いて説明する。１は撮影レンズ、２はクイックリターンミラー、３は焦点板であり撮影レンズ１による物体像が形成されている。４は透過型液晶等のファインダー内表示素子、５は正立像形成部材としてのペンタダハプリズムであり、焦点板３上の物体像を正立正像としている。６は接眼レンズである。７はアイポイントの位置を表している。
【００１５】
接眼レンズ６は、ペンタプリズム５側から順に負の屈折力の第１レンズ６ａ、正の屈折力の第２レンズ６ｂ、正の屈折力の第３レンズ６ｃ、負の屈折力の第４レンズ６ｄから構成されている。また、正の屈折力の第３レンズは少なくとも２枚以上のレンズの接合レンズで構成されている。
【００１６】
さらに、上記基本構成の接眼レンズは、以下の条件式（１）、（２）を満足するようにしている。
【００１７】
−０．６０ ＜ｆ３／ｆ３２＜０．４０   ・・（１）
２０ ＜νｄ３１−νｄ３２＜４０     ・・（２）
ここで、条件式（１）は倍率色収差と軸上色収差を良好に補正するための条件式である。条件式の下限を超えると軸上色収差の補正が困難となり、上限を超えると倍率色収差の補正が困難となる。また、条件式（２）は倍率色収差と軸上色収差を良好に補正するための条件式である。条件式の下限を超えると倍率色収差の補正が困難となり、上限を超えると軸上色収差の補正が困難となる。
【００１８】
また、本発明の実施形態に係る接眼レンズ６中の正の屈折力の第３レンズは、以下の条件式を満足することを特徴としている。
【００１９】
５＜Ｔｇ３２−Ｔｇ３１  ・・・（３）
ここで、Ｔｇ３２は第３レンズを構成する物体面側から２番目のレンズの材質のガラス転移温度、Ｔｇ３1は第３レンズを構成する最も物体面側のレンズの材質のガラス転移温度を表す。条件式（３）は、良好なレンズ精度を満足する為に必要な条件である。条件式の下限を超えてしまうと、レンズを成形する際にＴｇの差が小さいことから接合面の面精度が落下してしまうという問題が発生する。
【００２０】
さらに、本発明の実施形態に係る接眼レンズ６は、更に以下の条件式を満足することを特徴としている
−１.５＜ｆ１／ｆ＜−１  ・・・（４）
−０．６５＜ｆ４／ｆ＜−０．４５  ・・・（５）
ここで、ｆ１は第１レンズの焦点距離、ｆは接眼レンズ全系の焦点距離、ｆ４は第４レンズの焦点距離を表す。
【００２１】
条件式（４）、は、上述した高い観察倍率を実現しながら、十分なアイポイントを確保する為の条件である。条件式の下限を超えると、負の屈折力の第１レンズ６ａの屈折力が弱くなりすぎてしまい、十分なアイポイントが確保できなくなる。一方、上限を超えて負の屈折力の第１レンズ６ａの屈折力を強くしすぎると、接眼レンズの主点位置が焦点板から遠ざかってしまい、高い観察倍率を実現することが困難になる。
【００２２】
条件式（５）は、条件式（４）と同様に、上述した高い観察倍率を実現しながら、十分なアイポイントを確保する為の条件である。条件式の上限を超えると、負の屈折力の第４レンズ６ｄの屈折力が強くなりすぎてしまい、十分なアイポイントが確保できなくなる。一方、下限を超えて負の屈折力の第４レンズ６ｄの屈折力を弱くしすぎると、接眼レンズの主点位置が焦点板から遠ざかってしまい、高い観察倍率を実現することが困難になる。
【００２３】
さらに、本実施形態に係る接眼レンズ６中の正の屈折力の第３レンズは、接合レンズであり、該接合レンズを構成するレンズが全て樹脂材料で構成されていることを特徴としている。
【００２４】
以下に、本実施形態に係る数値実施例において、ｒiは焦点板側より順に第i番目のレンズ面の曲率半径、ｄiは焦点板側よりi番目のレンズ厚及び空気間隔、Niとνiは各々焦点板がわより順に第i番目のレンズのガラスの屈折率とアッベ数である。
【００２５】
なお、以下の数値実施例において＊印は非球面を表しており、非球面形状は光軸方向にＸ軸、光軸と垂直方向にＹ軸、光の進行方向を正とし近軸曲率半径をＲ、円錐係数をＫ、４次の非球面係数をＢ、６次の非球面係数をＣ、８次の非球面係数をＤ、１０次の非球面係数をＥとしたとき、
【００２６】
【数１】
2019078959.tif 000003
によって定義されるものである。また、「e-0X」の表示は「10-X」を意味している。また、前述の条件式と数値実施例における諸数値との関係を表１に示す。
【００２７】
以下、図２を参照して、本実施形態によるファインダー光学系について、より詳細に説明する。ファインダー光学系は前記焦点板側から順に表示素子４１、ペンタダハプリズム５１、負の屈折力の第１レンズ群６１ａ、正の屈折力の第２レンズ群６１ｂ、正の屈折力の第３レンズ６１ｃと負の屈折力の第４レンズ６１ｄから構成されている。また、正の屈折力の第３レンズは、３枚のレンズの接合レンズで構成されている。また、図３は本実施形態の収差図を表している。本実施形態では、第３レンズをアクリル系樹脂とポリカーボネート系樹脂の接合レンズで構成している。アクリル系樹脂はアッべ数が大きく、ポリカーボネート系の樹脂はアッべ数が小さいことから、接合レンズの焦点距離を適切に設定することによって倍率色収差、軸上色収差を良好に補正することが可能な構成となっている。
【００２８】
単位 mm 
面データ
面番号       r        d      nd         vd 
1          ∞       0.60                             
2          ∞       1.00   1.58306    30.2           
3          ∞       3.30                             
4          ∞      82.61   1.51633    64.1           
5          ∞       1.19                             
6       -422.038    1.70   1.63400    23.9           
7*        46.493  (可変)                             
8*        23.714    5.84   1.53110    56.0           
9*       -30.600  (可変)                             
10*        21.176    2.18   1.49171    57.4           
11*        26.465    2.21   1.58306    30.2           
12         21.053    2.73   1.49171    57.4           
13         51.805    1.98                             
14       -517.679    1.50   1.49171    57.4           
15*        14.561   22.00                         
16(アイポイント)
非球面データ
第7面
K = 3.32761e+000  A 4=-9.48698e-006  A 6=-7.99575e-008  A 8= 5.00142e-010  A10=-1.06737e-012  
第8面
K = 1.16084e+000  A 4=-3.27285e-005  A 6=-7.21412e-008  A 8= 2.78696e-010  A10=-1.61917e-012  
第9面
K =-4.14856e+000  A 4=-9.64619e-006  A 6= 1.13907e-007  A 8=-7.01032e-010  A10= 1.48075e-012  
第10面
K = 1.12164e-001  A 4= 4.58384e-006  A 6= 1.38069e-007  A 8=-6.20943e-010  A10= 1.08551e-012  
第11面
K = 0.00000e+000  A 4=-6.24015e-005  A 6= 2.43098e-007  
第15面
K = 0.00000e+000  A 4=-3.44574e-005  A 6= 3.42817e-007  A 8=-1.26723e-009  
各種データ
視度         -1DPTR    -3DPTR  +1DPTR
焦点距離      51.81    52.78    51.04  
d 7            2.40     0.62     4.12  
d 9            2.27     4.04     0.55  
【００２９】
（第２の実施形態）
以下、図４を参照して、本発明の第２の実施形態によるファインダー光学系について説明する。本ファインダー光学系は、焦点板側から順に表示素子４２、ペンタダハプリズム５２、負の屈折力の第１レンズ群６２ａ、正の屈折力の第２レンズ群６２ｂ、正の屈折力の第３レンズ６２ｃと負の屈折力の第４レンズ６２ｄから構成されている。また、正の屈折力の第３レンズは、３枚のレンズの接合レンズで構成されている。また、図５は本実施形態の収差図を表している。本実施形態では、第３レンズをアクリル系樹脂とポリカーボネート系樹脂の接合レンズで構成している。アクリル系樹脂はアッべ数が大きく、ポリカーボネート系の樹脂はアッべ数が小さいことから、接合レンズの焦点距離を適切に設定することによって、倍率色収差、軸上色収差を良好に補正することが可能な構成となっている。
【００３０】
単位 mm 
面データ
面番号       r        d      nd         vd 
1          ∞       0.60                             
2          ∞       1.00   1.58306    30.2           
3          ∞       3.30                             
4          ∞      82.61   1.65844    50.9           
5          ∞       1.19                             
6       -422.038    1.71   1.63400    23.9           
7*        48.013  (可変)                             
8*        25.009    5.83   1.58313    59.4           
9*       -35.067  (可変)                             
10*        22.886    3.08   1.49171    57.4           
11*        54.948    2.45   1.58306    30.2           
12         57.596    1.00   1.49171    57.4           
13         97.407    1.62                             
14       -169.762    1.50   1.49171    57.4           
15*        14.926   22.00                            
16  (アイポイント) 
非球面データ
第7面
K = 3.32761e+000  A 4=-9.44367e-006  A 6=-4.48226e-008  A 8= 2.82012e-010  A10=-5.83137e-013  
第8面
K = 1.16084e+000  A 4=-3.12825e-005  A 6= 1.75814e-008  A 8=-2.84815e-010  A10= 6.79677e-014  
第9面
K =-4.14856e+000  A 4=-9.64619e-006  A 6= 1.13907e-007  A 8=-7.01032e-010  A10= 1.48075e-012  
第10面
K = 1.12164e-001  A 4= 1.98106e-006  A 6= 2.34034e-008  A 8= 2.84733e-010  A10=-1.22029e-012  
第11面
K = 0.00000e+000  A 4=-3.30373e-005  A 6= 8.81122e-008  
第15面
K = 0.00000e+000  A 4=-1.88159e-005  A 6=-3.08069e-007  A 8= 6.93395e-009  A10=-4.34034e-011  
各種データ
視度          -1DPTR   -3DPTR   +1DPTR
焦点距離      49.92    50.82    49.19  
d 7            2.39     0.61     4.10  
d 9            2.25     4.03     0.54  
【００３１】
（第３の実施形態）
以下、図６を参照して、本発明の第３の実施形態によるファインダー光学系について説明する。ファインダー光学系は、焦点板側から順に表示素子４３、ペンタダハプリズム５３、負の屈折力の第１レンズ群６３ａ、正の屈折力の第２レンズ群６３ｂ、正の屈折力の第３レンズ６３ｃと負の屈折力の第４レンズ６３ｄから構成されている。また、正の屈折力の第３レンズは、３枚のレンズの接合レンズで構成されている。また、図７は本実施形態の収差図を表している。本実施形態では、第３レンズをシクロオレフィンポリマー系樹脂とポリカーボネート系樹脂の接合レンズで構成している。シクロオレフィンポリマー系樹脂はアッべ数が大きく、ポリカーボネート系の樹脂はアッべ数が小さいことから、接合レンズの焦点距離を適切に設定することによって倍率色収差、軸上色収差を良好に補正することが可能な構成となっている。また、シクロオレフィンポリマー系樹脂はアクリル系樹脂よりも屈折率が高いことから、像面湾曲も良好に補正することが可能となる
【００３２】
単位 mm 
面データ
面番号       r        d      nd         vd 
1          ∞       0.60                             
2          ∞       1.00   1.58306    30.2           
3          ∞       3.30                             
4          ∞      82.61   1.51633    64.1           
5          ∞       1.19                             
6       -422.038    1.70   1.63400    23.9           
7*        46.526  (可変)                             
8*        23.865    5.85   1.53110    56.0           
9*       -30.437  (可変)                             
10*        21.734    2.39   1.53110    56.0           
11*        33.063    2.31   1.58306    30.2           
12         23.000    2.33   1.53110    56.0           
13         50.110    2.03                             
14       -504.933    1.50   1.49171    57.4           
15*        14.374    22.00                            
16  (アイポイント) 
非球面データ
第7面
K = 3.32761e+000  A 4=-7.05691e-006  A 6=-1.19447e-007  A 8= 7.12801e-010  A10=-1.45715e-012  
第8面
K = 1.16084e+000  A 4=-2.76323e-005  A 6=-1.21510e-007  A 8= 4.88528e-010  A10=-1.85480e-012  
第9面
K =-4.14856e+000  A 4=-9.64619e-006  A 6= 1.13907e-007  A 8=-7.01032e-010  A10= 1.48075e-012  
第10面
K = 1.12164e-001  A 4=-4.78775e-006  A 6= 1.54970e-007  A 8=-5.79227e-010  A10= 9.68987e-013  
第11面
K = 0.00000e+000  A 4=-2.73138e-005  A 6= 4.43285e-008  
第15面
K = 0.00000e+000  A 4=-3.56327e-005  A 6= 2.58722e-007  A 8=-1.14918e-009  
各種データ
視度          -1DPTR   -3DPTR   +1DPTR
焦点距離      51.81    52.78    51.04  
d 7            2.41     0.63     4.12  
d 9            2.27     4.05     0.56  
【００３３】
（第４の実施形態）
以下、図８を参照して、本発明の第４の実施形態によるファインダー光学系について説明する。ファインダー光学系は、焦点板側から順に表示素子４４、ペンタダハプリズム５４、負の屈折力の第１レンズ群６４ａ、正の屈折力の第２レンズ群６４ｂ、正の屈折力の第３レンズ６４ｃと負の屈折力の第４レンズ６４ｄから構成されている。また、正の屈折力の第３レンズは、２枚のレンズの接合レンズで構成されている。また、図９は本実施形態の収差図を表している。本実施形態では、第３レンズをアクリル系樹脂と特殊ポリカーボネート系樹脂の接合レンズで構成している。アクリル系樹脂はアッべ数が大きく、特殊ポリカーボネート系の樹脂はアッべ数が小さいことから、接合レンズの焦点距離を適切に設定することによって倍率色収差、軸上色収差を良好に補正することが可能な構成となっている。
【００３４】
単位 mm 
面データ
面番号       r        d      nd         vd 
1          ∞       0.60                             
2          ∞       1.00   1.58306    30.2           
3          ∞       3.30                             
4          ∞      83.34   1.65844    50.9           
5          ∞       1.19                             
6       -422.038    1.70   1.63400    23.9           
7*        48.812  (可変)                             
8*        25.579    5.86   1.58313    59.4           
9*       -34.692  (可変)                             
10*        21.381    2.90   1.49171    57.4           
11*        43.059    2.48   1.63400    23.9           
12         40.808    1.19   1.49171    57.4           
13         66.949    1.70                             
14       -420.024    1.50   1.49171    57.4           
15*        14.252  22.00                             
16  (アイポイント) 
非球面データ
第7面
K = 3.32761e+000  A 4=-6.74226e-006  A 6=-8.32305e-008  A 8= 4.36385e-010  A10=-7.48563e-013  
第8面
K = 1.16084e+000  A 4=-2.65406e-005  A 6=-1.72580e-008  A 8=-1.95245e-010  A10= 2.17514e-013  
第9面
K =-4.14856e+000  A 4=-9.64619e-006  A 6= 1.13907e-007  A 8=-7.01032e-010  A10= 1.48075e-012  
第10面
K = 1.12164e-001  A 4=-1.74456e-007  A 6=-5.48486e-009  A 8= 8.71037e-010  A10=-3.52953e-012  
第11面
K = 0.00000e+000  A 4=-1.91992e-005  A 6= 3.79308e-008  
第15面
K = 0.00000e+000  A 4=-2.23478e-005  A 6=-3.90052e-007  A 8= 9.17327e-009  A10=-6.26860e-011  
各種データ
視度          -1DPTR   -3DPTR   +1DPTR
焦点距離      49.64    50.50    48.96  
d 7            2.42     0.64     4.13  
d 9            2.28     4.06     0.57  
【００３５】
（第５の実施形態）
以下、図１０を参照して、本発明の第５の実施形態によるファインダー光学系について説明する。ファインダー光学系は、焦点板側から順に表示素子４５、ペンタダハプリズム５５、負の屈折力の第１レンズ群６５ａ、正の屈折力の第２レンズ群６５ｂ、正の屈折力の第３レンズ６５ｃと負の屈折力の第４レンズ６５ｄから構成されている。また、正の屈折力の第３レンズは、２枚のレンズの接合レンズで構成されている。また、図１１は本実施形態の収差図を表している。本実施形態では、第３レンズをシクロオレフィンポリマー系樹脂と特殊ポリカーボネート系樹脂の接合レンズで構成している。シクロオレフィンポリマー系樹脂はアッべ数が大きく、特殊ポリカーボネート系の樹脂はアッべ数が小さいことから、接合レンズの焦点距離を適切に設定することによって倍率色収差、軸上色収差を良好に補正することが可能な構成となっている。また、シクロオレフィンポリマー系樹脂はアクリル系樹脂よりも屈折率が高いことから、像面湾曲も良好に補正することが可能となる
【００３６】
単位 mm 
面データ
面番号       r        d      nd         vd 
1          ∞       0.60                             
2          ∞       1.00   1.58306    30.2           
3          ∞       3.30                             
4          ∞      83.34   1.65844    50.9           
5          ∞       1.19                             
6       -422.038    1.70   1.63400    23.9           
7*        48.338  (可変)                             
8*        25.485    5.86   1.58313    59.4           
9*       -33.945  (可変)                             
10*        21.911    2.73   1.53110    56.0           
11*        46.836    2.48   1.63400    23.9           
12         42.206    1.02   1.53110    56.0           
13         60.539    1.87                             
14       -319.572    1.50   1.49171    57.4           
15*        14.295   22.00                          
16  (アイポイント) 
非球面データ
第7面
K = 3.32761e+000  A 4=-9.29611e-006  A 6=-4.39336e-008  A 8= 2.60418e-010  A10=-4.94048e-013  
第8面
K = 1.16084e+000  A 4=-3.00046e-005  A 6= 3.39984e-008  A 8=-4.07135e-010  A10= 4.85326e-013  
第9面
K =-4.14856e+000  A 4=-9.64619e-006  A 6= 1.13907e-007  A 8=-7.01032e-010  A10= 1.48075e-012  
第10面
K = 1.12164e-001  A 4= 2.93748e-007  A 6=-2.36797e-008  A 8= 6.68789e-010  A10=-2.40116e-012  
第11面
K = 0.00000e+000  A 4=-1.29535e-005  A 6= 1.28098e-008  
第15面
K = 0.00000e+000  A 4=-2.19400e-005  A 6=-4.23704e-007  A 8= 8.77807e-009  A10=-5.79406e-011  
各種データ
視度          -1DPTR   -3DPTR   +1DPTR
焦点距離      49.63    50.44    48.99  
d 7            2.42     0.64     4.13  
d 9            2.28     4.06     0.57  
【００３７】
（第６の実施形態）
以下、図１２を参照して、本発明の第６の実施形態によるファインダー光学系について説明する。ファインダー光学系は、焦点板側から順に表示素子４５、ペンタダハプリズム５５、負の屈折力の第１レンズ群６５ａ、正の屈折力の第２レンズ群６５ｂ、正の屈折力の第３レンズ６５ｃと負の屈折力の第４レンズ６５ｄから構成されている。また、前記正の屈折力の第３レンズは２枚のレンズの接合レンズで構成されている。また、図１３は本実施形態の収差図を表している。本実施形態では、第３レンズをアクリル系樹脂とポリカーボネート系樹脂の接合レンズで構成している。アクリル系樹脂はアッべ数が大きく、ポリカーボネート系の樹脂はアッべ数が小さいことから、接合レンズの焦点距離を適切に設定することによって倍率色収差、軸上色収差を良好に補正することが可能な構成となっている。
【００３８】
単位 mm 
面データ
面番号       r        d      nd         vd 
1          ∞       0.60                             
2          ∞       1.00   1.58306    30.2           
3          ∞       3.30                             
4          ∞      78.27   1.73800    32.3           
5          ∞       1.46                             
6       -422.038    3.51   1.63400    23.9           
7*        43.886  (可変)                             
8*        23.777    5.79   1.58313    59.4           
9*       -36.718  (可変)                             
10*        36.491    1.78   1.49171    57.4           
11*       102.791    3.40   1.58306    30.2           
12      -1656.131    1.00   1.49171    57.4           
13       -127.706    1.00                             
14       -505.331    1.50   1.49171    57.4           
15*        15.792   22.00                           
16  (アイポイント) 
非球面データ
第7面
K = 3.32761e+000  A 4=-1.75732e-005  A 6= 7.63069e-008  A 8=-2.93219e-012  A10=-1.54737e-012  
第8面
K = 1.16084e+000  A 4=-3.96564e-005  A 6= 9.62973e-008  A 8=-1.36310e-010  A10=-2.47955e-012  
第9面
K =-4.14856e+000  A 4=-9.64619e-006  A 6= 1.13907e-007  A 8=-7.01032e-010  A10= 1.48075e-012  
第10面
K = 1.12164e-001  A 4=-1.46454e-005  A 6= 1.40124e-007  A 8=-2.92267e-009  A10= 1.32406e-011  
第11面
K = 0.00000e+000  A 4=-7.40201e-005  A 6= 4.18267e-007  
第15面
K = 0.00000e+000  A 4=-4.80305e-005  A 6=-5.95096e-008  A 8=-8.33541e-010  A10= 1.93799e-011  
各種データ
視度          -1DPTR   -3DPTR   +1DPTR
焦点距離      51.61    53.14    50.33  
d 7            2.35     0.57     4.06  
d 9            2.21     3.99     0.50  
以下の表１に、第１乃至第６の実施形態における条件式（１）から（５）に対応する値を示す。
【００３９】
【表１】
2019078959.tif 000004
【００４０】
上述したように、本発明によればＡＰＳ−Ｃサイズ等の３５ｍｍフイルムよりも小さな撮像素子を用いたカメラにおいて、高い光学性能を保ちつつ観察倍率を大きくしながらも、アイポイントを長く確保することのできるファインダーを提供することができる。
【００４１】
以上、本発明の好ましい実施形態について説明したが、本発明はこれらの実施形態に限定されず、その要旨の範囲内で種々の変形及び変更が可能である。
【符号の説明】
【００４２】
１  撮影レンズ
２  クイックリターンミラー
３  表示素子
４  コンデンサーレンズ
５  ペンタダハプリズム
６  接眼レンズ
７  アイポイント
【図１】
2019078959.tif 000005
【図２】
2019078959.tif 000006
【図３】
2019078959.tif 000007
【図４】
2019078959.tif 000008
【図５】
2019078959.tif 000009
【図６】
2019078959.tif 000010
【図７】
2019078959.tif 000011
【図８】
2019078959.tif 000012
【図９】
2019078959.tif 000013
【図１０】
2019078959.tif 000014
【図１１】
2019078959.tif 000015
【図１２】
2019078959.tif 000016
【図１３】
2019078959.tif 000017